(57)【要約】【課題】２段構成のワークテーブルにおいて、上部ワークテーブル２１と下部ワークテーブル２２との間隔をなくし、上部ワークテーブル２１の高さを低くし、該上部ワークテーブル上の機材の取り出し、取り戻しを容易にする。【解決手段】ワークテーブル２は、インスツルメントホルダーの上部に固定して配設される下部ワークテーブル２２と、該下部ワークテーブル２２の上部に該下部ワークテーブル２２面上をスライド及び回動可能に設けられた上部ワークテーブル２１から成る。上部ワークテーブルの下面（又は、下部ワークテーブルの上面）には上部ワークテーブル２１をスライド移動させるための直線状のスライド溝２０を有し、下部ワークテーブル２２の上面（又は、上部ワークテーブルの下面）には、前記スライド溝を貫通して該スライド溝に沿って移動可能でかつ該スライド溝内で回動可能な突起軸２１を有する。【選択図】図１
2011156315.tif 000002
【特許請求の範囲】
【請求項１】
歯科治療用インスツルメントを載置するインスツルメントホルダーの上部に配設されたワークテーブルであって、該ワークテーブルは、前記インスツルメントホルダーの上部に固定して配設される下部ワークテーブルと、該下部ワークテーブルの上部に該下部ワークテーブル面上をスライド及び回動可能に設けられた上部ワークテーブルから成り、前記上下ワークテーブルの下面（又は、前記下部ワークテーブルの上面）には前記上部ワークテーブルをスライド移動させるための直線状のスライド溝を有し、前記下部ワークテーブルの上面（又は、前記上部ワークテーブルの下面）には、前記スライド溝を貫通して該スライド溝に沿って移動可能でかつ該スライド溝内で回動可能な突起軸を有することを特徴とする歯科用ワークテーブル。
【発明の詳細な説明】
【技術分野】
【０００１】
本発明は、歯科用ワークテーブル、より詳細には、歯科治療用インスツルメントを載置するインスツルメントホルダーの上部に配設されるワークテーブルであって、該ワークテーブルを上下２段構成とするとともに、上下間の間隔をなくし、インスツルメントホルダーと上部ワークテーブルの上面間の間隔を短くし、もって、上部ワークテーブル上の機材の取り出し取り戻しを容易にし、かつ、簡単な構成で、上部ワークテーブルの水平移動（スライド及び回動）を可能にしたものである。
【背景技術】
【０００２】
図２は、本発明が適用される歯科治療ユニットの一例を説明するための全体構成図で、該歯科治療ユニットは、歯科治療椅子１、ワークテーブル２、該ワークテーブル２を移動可能に支持するアーム３、スピットン４、無影灯５、ワークテーブル２の下部に該ワークテーブル２と一体的に移動可能に設けられたインスツルメントホルダー６、歯科治療用インスツルメント７、該インスツルメント７に接続され該インスツルメント７に電気、エアー、水等を供給するインスツルメントホース８、インスツルメントホルダー６から取り出されたインスツルメントを駆動制御するフットスイッチ９等からなり、インスツルメントホルダー６には、歯科治療において使用する種々のインスツルメント７が収納されており、周知のように、歯科治療に当り、患者は椅子１に座り、頭を安頭台に固定して治療を受ける。ワークテーブル２の上には、歯科治療に必要な種々の機材（例えば、ピンセット，鋏，ガーゼ，脱脂綿，更には、薬剤等）が載置されており、治療に当り、術者は治療椅子１を上下動、倒起動、傾斜動等させて、患者を治療しやすい姿勢にし、術者は治療椅子１の後方に座り、患者の背後から歯科治療を行う。
【０００３】
図３は、従来のワークテーブルの一例を説明するための図で、図３（Ａ）は斜視図、図３（Ｂ）は正面図、図３（Ｃ）は動作説明をするための上面図で、図３に示す従来のワークテーブル２は、上部ワークテーブル２１と下部ワークテーブル２２とからなり、これら上下のワークテーブルがリンク１０によって連絡されて、該リンク１０を軸１１のまわりに回動することによって、例えば、上部ワークテーブル２１を実線にて示す２１の位置から破線にて示す２１’の位置へ移動可能にしている。更には、上部ワークテーブル２１を軸１２のまわりに回動するようにすることによって、上部ワークテーブル２１の向きを変えることもできるようにしている。
【発明の概要】
【発明が解決しようとする課題】
【０００４】
上述のごとき上部ワークテーブル２１の上には、前述のように、歯科治療に必要な種々の機材が載置されており、歯科治療中、術者は、上部ワークテーブル２１上に載置されている機材を取り出し、取り戻し等をするが、上部ワークテーブル２１が下部ワークテーブル２２より、かなり高い位置となってしまい（図示例の場合、Ｌだけ高くなっている）、上部ワークテーブル２１上の機材の取り出し、取り戻しが大変であった。
【０００５】
本発明は、上述のごとき実情に鑑みてなされたものであり、図３に示すような、上部ワークテーブルを高くしてしまうようなリンク機構を使用することなく、簡単な機構により、上部ワークテーブル２１と下部ワークテーブル２２との間隔をなくし、上部ワークテーブル２１の高さを低くし、該上部ワークテーブル２１上の機材の取り出し、取り戻しを容易にすることを目的としてなされたものである。
【課題を解決するための手段】
【０００６】
本発明は、歯科治療用インスツルメントを載置するインスツルメントホルダーの上部に配設されたワークテーブルであって、該ワークテーブルは、前記インスツルメントホルダーの上部に固定して配設される下部ワークテーブルと、該下部ワークテーブルの上部に該下部ワークテーブル面上をスライド及び回動可能に設けられた上部ワークテーブルから成り、前記上下ワークテーブルの下面（又は、前記下部ワークテーブルの上面）には前記上部ワークテーブルをスライド移動させるための直線状のスライド溝を有し、前記下部ワークテーブルの上面（又は、前記上部ワークテーブルの下面）には、前記スライド溝を貫通して該スライド溝に沿って移動可能でかつ該スライド溝内で回動可能な突起軸を有することを特徴としたものである。
【発明の効果】
【０００７】
本発明によると、上部ワークテーブルと下部ワークテーブルとの間の間隔をなくしたので、上部ワークテーブルの高さを低くすることができ、上部ワークテーブル上に載置されている機材の取り出し、取り戻しが楽になる。
【図面の簡単な説明】
【０００８】
【図１】本発明によるワークテーブルの実施例を説明するための図である。
【図２】本発明が適用される歯科治療ユニットの一例を説明するための全体構成図である。
【図３】上部ワークテーブルと下部ワークテーブルを有する従来のワークテーブルの一例を説明するための図である。
【発明を実施するための形態】
【０００９】
図１は、本発明によるワークテーブルの一実施例を説明するための図で、図１（Ａ），（Ｂ），（Ｃ）は、それぞれ図３に示した（Ａ），（Ｂ），（Ｃ）に対応しており、図中、２１は上部ワークテーブル、２２は下部ワークテーブルで、本発明においても、上部ワークテーブル２１は、下部ワークテーブル２２上で移動及び回動可能である。而して、本発明においては、上部ワークテーブル２１の下面（或いは、下部ワークテーブル２２の上面）には、左右方向に延長する直線状のスライド溝（スリット）２０が設けられており、対向する下部ワークテーブル２２の上面（或いは、上部ワークテーブル２１の下面）には、該スライド溝（スリット）２０を貫通する円柱軸（突起）２１が立設され、必要により、該軸２１のスリット２０を貫通した先端にはスライド溝２０から軸２１が抜けないようにした抜け防止部材が取り付けられる。
【００１０】
従って、本発明においては、上部ワークテーブル２１は、下部ワークテーブル２２上をスライド溝２０及び該スライド溝２０を貫通する軸２１によって矢印Ａ方向に案内され、かつ、軸２１を中心に矢印Ｂ方向に回動され、上部ワークテーブル２１を所望の位置に移動することができ、しかも、上部ワークテーブル２１と下部ワークテーブル２２との間には、ほとんど隙間がないので、上部ワークテーブル２１の高さを低く抑えることができ、該上部ワークテーブル２１上の機材の取り出し、取り戻しが楽にできる。
【符号の説明】
【００１１】
２…ワークテーブル、２１…上部ワークテーブル、２２…下部ワークテーブル、２０…スライド溝（スリット）、２１…円柱軸（突起）。
【図１】
2011156315.tif 000003
【図２】
2011156315.tif 000004
【図３】
2011156315.tif 000005